(57)【要約】【課題】待機時の消費電力をさらに低減できる電子機器を提供する。【解決手段】電子機器１は、サブマイコン３７への電力供給路を開閉するスイッチ５３を制御するスイッチ制御部３３と、サブマイコン３７のキー電圧入力端子３７Ｃに入力する信号を制御するキー電圧制御部３５と、スイッチ５３をスイッチ制御部３３に制御させるサブマイコン３７と、を備えている。電子機器１の待機時に電源キー２１が電源オン操作を受け付けると、スイッチ制御部３３は、サブマイコン３７へ第１の時間、電力を供給する。また、キー電圧制御部３５は、サブマイコン３７が起動すると、この第１の時間内にキー電圧入力端子３７Ｃに特定の信号を入力して、スイッチ５３の閉状態を保持する信号をサブマイコン３７に出力させる。電子機器１の動作時に電源キー２１が電源オフ操作を受け付けると、キー電圧制御部３５は、スイッチ５３を開にする信号をサブマイコン３７に出力させる。【選択図】図１
2010267225.tif 000002
【特許請求の範囲】
【請求項１】
電源キーの操作に応じて負荷回路への電力供給を制御するマイコンを備えた電子機器において、
前記マイコンへの電力供給路を開閉する第１スイッチを有し、前記電源キーが操作されると、前記第１スイッチを第１の時間閉にするスイッチ制御部と、
前記電源キーが操作されると、前記第１の時間よりも短い第２の時間の経過後に前記マイコンの信号入力端子に特定の信号を入力するキー電圧制御部と、
を備え、
前記マイコンは、前記スイッチ制御部に対して、
前記第１スイッチを閉にすることを指示するオン信号を出力していないときに前記特定の信号が前記信号入力端子に入力されると、前記オン信号を出力し、
前記オン信号を出力しているときに前記特定の信号が前記信号入力端子に入力されると、前記オン信号の出力を停止することを特徴とする電子機器。
【請求項２】
前記電源キーを含む複数のキーを有する操作部から前記マイコンの信号入力端子への信号伝送路を開閉する第２スイッチを備え、
前記マイコンが出力するオン信号は、さらに前記第２スイッチを閉にすることを指示する信号である請求項１に記載の電子機器。
【請求項３】
前記第２スイッチと直列に配置され、前記信号伝送路を開閉する第３スイッチを備え、
前記スイッチ制御部は、前記電源キーが操作されると、前記第３スイッチを前記第１の時間開にし、前記第１の時間が経過すると前記第３スイッチを閉にする請求項２に記載の電子機器。
【請求項４】
前記キー電圧制御部は、前記特定の信号を入力する前に、前記第１スイッチの後段から出力される信号を前記マイコンの信号入力端子に入力する請求項１乃至３のいずれかに記載の電子機器。
【発明の詳細な説明】
【技術分野】
【０００１】
本発明は、待機時の消費電力を低減する構成を備えた電子機器に関する。
【背景技術】
【０００２】
従来、テレビ受像機や録画装置等の電子機器は、主電源をオフしている待機時にも、一部の回路には電力を供給して動作させている。これは、リモコンや本体の電源キーで電源オンの操作を受け付けると、本体を動作させるためである。
【０００３】
この種の電子機器としては、例えば、待機時には、メインマイコンへの電圧供給は行わずに、サブマイコンの一種であるスタンバイマイコンにのみ電圧供給を行って、待機時の消費電力を低減する電源システムの発明が開示されている（特許文献１参照。）。
【先行技術文献】
【特許文献】
【０００４】
【特許文献１】特開２０００−  ４７７６４号公報
【発明の概要】
【発明が解決しようとする課題】
【０００５】
しかしながら、特許文献１に記載の発明のように、従来の電子機器では、待機時にはサブマイコンに電圧供給を行っており、消費電力をさらに低減する余地があった。
【０００６】
そこで、本発明は、待機時の消費電力をさらに低減できる電子機器を提供することを目的とする。
【課題を解決するための手段】
【０００７】
この発明の電子機器は、電源キーが操作されると、マイコンへの電力供給路を開閉する第１スイッチを第１の時間閉にする。また、電源キーが操作されると、キー電圧制御部が、第１の時間よりも短い第２の時間の経過後にマイコンの信号入力端子に特定の信号を入力する。マイコンは、第１スイッチを閉にするオン信号を出力していないときに特定の信号が信号入力端子に入力されると、スイッチ制御部に対してオン信号を出力する。また、マイコンは、オン信号を出力しているときに特定の信号が信号入力端子に入力されると、スイッチ制御部に対してオン信号の出力を停止する。
【０００８】
この構成では、電子機器が待機状態のときに電源キーが電源をオンにする操作を受け付けると、スイッチ制御部が第１スイッチを第１の時間閉にするので、電力供給路からマイコンへの電力供給が開始される。また、マイコンは第１の時間よりも短い第２の時間が経過するまでにオン信号を出力するので、第１の時間の経過後も第１スイッチを閉の状態が保持されて電力供給路からマイコンへの電力供給が継続される。一方、電子機器が動作状態のときに電源キーが電源をオフにする操作を受け付けると、スイッチ制御部は第１スイッチを第１の時間閉にし、マイコンはオン信号の出力を停止する。電源キーが操作されてから第１の時間が経過すると、第１スイッチが開になるので、電力供給路からマイコンへの電力供給が停止する。したがって、待機状態におけるマイコンへの電力供給を停止できるので、電子機器の待機時の消費電力をさらに抑制できる。
【０００９】
この発明の電子機器は、電源キーを含む複数のキーを有する操作部からマイコンの信号入力端子への信号伝送路を開閉する第２スイッチを備えている。また、マイコンが出力するオン信号は、第１スイッチ及び第２スイッチを閉にすることを指示する信号である。
【００１０】
この構成では、マイコンがオン信号を出力している間、スイッチ制御部は第１スイッチだけでなく、さらに第２スイッチを閉にする。そのため、電力供給路からマイコンへの電力供給が継続され、マイコンの信号入力端子には、操作部から信号伝送路を介して信号が入力可能な状態になる。操作部の複数のキーの操作に応じて操作部からマイコンの信号入力端子に信号が入力されるように構成した場合、電源キーの操作直後に他のキーが操作されると、他のキーの操作に応じた信号がマイコンに入力されて、マイコンが誤動作するおそれがある。また、待機状態のときに電源キー以外の他のキーが操作されると、マイコンが動作していないのに信号入力端子に信号が入力されるので、この信号にノイズが重畳すると、マイコンが破損するおそれがある。そこで、上記のように、第２スイッチを設けて開閉を制御することで、マイコンの待機時の消費電力を抑制する構成を備えながら、マイコンの誤動作や破損のおそれを無くすことができる。
【００１１】
この発明の電子機器は、第２スイッチと直列に配置されて信号伝送路を開閉する第３スイッチを備えている。スイッチ制御部は、電源キーが操作されてから第１の時間第３スイッチを開にし、第１の時間が経過すると第３スイッチを閉にする。
【００１２】
この構成では、電源キーが操作されてから第１の時間が経過してから、操作部の複数のキーの操作に応じた信号がマイコンの信号入力端子に入力される。第１の時間としては、マイコンが起動する時間よりも十分長い時間に設定すれば良いが、例えば、起動したマイコンが、電源回路に対して負荷回路などへの電力供給の開始を指示する信号を出力する時間に設定する。この場合、上記のように構成することで、キー操作に応じた信号がマイコンの信号入力端子に入力可能になる。したがって、マイコンの待機時の消費電力を抑制する構成を備えながら、操作部の操作を受け付け可能にできる。
【００１３】
この発明の電子機器では、キー電圧制御部は、特定の信号を入力する前に、第１スイッチの後段から出力される信号をマイコンの信号入力端子に入力する。
【００１４】
マイコンの待機時の消費電力を抑制する構成を設けていない場合には、通常、マイコンの信号入力端子には、電源キーの操作に応じた信号が直接入力されるように構成する。この構成では、キー電圧制御部は、マイコンの信号入力端子に、第１スイッチの後段から出力される信号を入力してから特定の信号を入力する。第１スイッチの後段から出力される信号は、操作部においてキー操作が行われていないときに出力される信号と同じ信号である。また、特定の信号は、電源キーが操作されたときに出力される信号と同じ信号である。したがって、マイコンの待機時の消費電力を抑制する構成を設けた場合でも、マイコンの信号入力端子に、電源キーの操作に応じた信号と同じ信号を入力してマイコンを動作させることができる。また、第１スイッチの後段から信号を取り出すことで、第１スイッチが閉のときのみ信号入力端子に信号を入力することが可能となる。第２スイッチは待機状態のときには閉にはならないので、待機状態のときにマイコンの信号入力端子にこの信号が入力されるのを防止できる。
【発明の効果】
【００１５】
この発明によれば、待機時にはマイコンへの電力供給を停止するので、待機時における消費電力をさらに抑制することができる。
【図面の簡単な説明】
【００１６】
【図１】電子機器の概略構成を示すブロック図である。
【図２】待機電力抑制回路の構成の一例を示す回路図である。
【図３】待機時、電源オン時、動作時、及び電源オフ時のタイミングチャートである。
【発明を実施するための形態】
【００１７】
本発明の電子機器は、サブマイコンの待機時の消費電力（待機電力）を抑制するために、待機電力抑制回路を設けている。この待機電力抑制回路は、電子機器の待機時に本体の電源キーが操作を受け付けると、サブマイコンへ電力を供給する。また、電子機器の動作時に電源キーが操作を受け付けると、サブマイコンへの電力供給を停止する。
【００１８】
本発明は、負荷回路への電力供給を制御するマイコンを備え、本体やリモコンに設けた電源キーを操作して主電源のオン／オフを行うことで、動作状態や待機状態に移行する電子機器に適用可能である。例えば、テレビ受像機や録画装置などが好適である。
【００１９】
まず、電子機器１の概略構成を説明する。図１は、電子機器の概略構成を示すブロック図である。電子機器１は、操作回路２、待機電力抑制回路３、電源回路４、メインマイコン５、負荷回路６、及びリモコン受信回路７を備えている。
【００２０】
待機電力抑制回路３は、入力端子３１、スイッチ制御部３３、キー電圧制御部３５、及びサブマイコン３７を備えている。スイッチ制御部３３は、保持部５１、スイッチ５３（第１スイッチに相当）、スイッチ５４（第３スイッチに相当）、及びスイッチ５５（第２スイッチに相当）を備えている。スイッチ５３は、サブマイコン３７への電力供給路（電力供給端子ＡＬＬ３．３Ｖからサブマイコン３７のＶｃｃ端子３７Ａまでの電力供給路）を開閉する。スイッチ５４は、スイッチ５５と直列に配置されている。スイッチ５４とスイッチ５５は、操作回路２から出力された信号の伝送路（入力端子３１からサブマイコン３７のキー電圧入力端子３７Ｃまでの信号伝送路）を開閉する。キー電圧制御部３５は、保持部７１とスイッチ７３を備えている。スイッチ７３は、設定に応じて、３．３Ｖの電圧（信号）または０Ｖの電圧（信号）をサブマイコン３７のキー電圧入力端子３７Ｃに入力する。スイッチ７３は、端子７３Ａがスイッチ５３の後段に接続され、端子７３Ｂがグランド端子に接続され、端子７３Ｃがキー電圧入力端子３７Ｃに接続されている。
【００２１】
待機電力抑制回路３は、例えば、図２に示すように電子部品により構成することができる。図２は、待機電力抑制回路の構成の一例を示す回路図である。
【００２２】
スイッチ制御部３３は、抵抗Ｒ１〜抵抗Ｒ１６、トランジスタＴＲ１〜トランジスタＴＲ９、電界効果トランジスタＦＥＴ１、及びコンデンサＣ１により構成されている。
【００２３】
保持部５１は、抵抗Ｒ５とコンデンサＣ１により構成された時定数回路である。保持部５１には、電源キー２１の操作後もスイッチ５３とスイッチ５４の状態を第１の時間（例えば３秒間）保持できるように時定数を設定する。例えば、抵抗Ｒ５に１２０ｋΩの抵抗を使用し、コンデンサＣ１に２２０μＦの電解コンデンサを使用する。この第１の時間は、電子機器１のサブマイコン３７が起動する時間よりも十分長い時間に設定する。例えば、サブマイコン３７が起動して、電源回路４に対してメインマイコン５や負荷回路６への電力供給の開始を指示する制御信号の出力が完了する時間に設定する。
【００２４】
スイッチ５３にはＰＮＰトランジスタであるトランジスタＴＲ７、スイッチ５４にはＰＮＰトランジスタであるトランジスタＴＲ８、スイッチ５５にはＰＮＰトランジスタであるトランジスタＴＲ９を、それぞれ使用している。
【００２５】
キー電圧制御部３５は、抵抗Ｒ２１〜抵抗Ｒ２５、トランジスタＴＲ１０〜トランジスタＴＲ１１、電界効果トランジスタＦＥＴ２、及びコンデンサＣ２により構成されている。
【００２６】
保持部７１は、抵抗Ｒ２２とコンデンサＣ２により構成された時定数回路である。保持部７１には、保持部５１に設定された第１の時間よりも短い第２の時間（例えば１．５秒間）電源キー２１の操作後もスイッチ７３の状態を、保持できるように時定数を設定する。例えば、抵抗Ｒ５に１２０ｋΩの抵抗を使用し、コンデンサＣ１に１００μＦの電解コンデンサを使用する。この第２の時間は、第１の時間よりも短い時間であって、サブマイコン３７が起動するよりも長い時間に設定する。例えば、サブマイコン３７が起動して、電圧入力端子３７Ｃに入力される信号を検出可能な状態になる時間に設定する。
【００２７】
操作回路２（操作部に相当）は、電源キー２１・チャンネルＵＰキー２３・チャンネルＤＯＷＮキー２５や、不図示の音量キー・テンキーなど複数のキーを備えている。操作回路２の電源キー２１・チャンネルＵＰキー２３・チャンネルＤＯＷＮキー２５や他の幾つかのキーは、プッシュスイッチであり、押し下げされている間のみ信号を出力する。以下の説明では、電源キー２１・チャンネルＵＰキー２３・チャンネルＤＯＷＮキー２５の各キーが操作されるとは、キーが押し下げされることを言う。
【００２８】
操作回路２は、キー操作に応じて電子機器１の動作を制御できるように、操作されたキーに応じた信号を出力する。操作回路２の出力電圧は、キー操作が行われていない通常時は３．３Ｖ、電源キー操作時は０Ｖである。また、操作回路２は、その他のキーが操作されると、キーに応じて１．０Ｖ〜３．３Ｖの電圧を出力する。例えば、操作回路２の出力電圧は、チャンネルＵＰキー２３の操作時は１．０Ｖ、チャンネルＤＯＷＮキー２５の操作時は２．５Ｖである。
【００２９】
スイッチ制御部３３に設けられた入力側の初段のトランジスタＴＲ１は、ＮＰＮトランジスタである。また、キー電圧制御部３５に設けられた入力側の初段のトランジスタＴＲ１０のベースは、スイッチ制御部３３のトランジスタＴＲ２の後段に接続されている。また、操作回路２は上記のような信号（電圧）を出力する。そのため、保持部５１及び保持部７１は、待機時及び動作時において、電源キー２１が操作されたときのみ動作し、他のキーが操作されても動作しない。また、待機時には、電源キー２１以外の他のキーが操作されても、待機電力抑制回路３は動作しない。
【００３０】
スイッチ制御部３３では、電源キー２１の操作により入力端子３１を介して入力された信号やサブマイコン３７から入力された信号に応じてスイッチ５３〜スイッチ５５の開閉が制御される。
【００３１】
キー電圧制御部３５は、電源キー２１で電源オンや電源オフの操作を受け付けたときに、スイッチ７３を切り替えて、サブマイコン３７にＰ−ＯＮ−Ｈ端子３７ＢからＨ信号を出力させる特定の信号をキー電圧入力端子３７Ｃに入力する。
【００３２】
サブマイコン３７は、キー電圧入力端子３７Ｃ（信号入力端子に相当）から入力された信号に応じて、スイッチ制御部３３、電源回路４、メインマイコン５に制御信号を出力する。すなわち、サブマイコン３７は、スイッチ制御部３３のスイッチ５３とスイッチ５５の開閉を制御する信号を出力する。また、サブマイコン３７は、電源キー２１が電源オン／オフ操作を受け付けると、電源回路４に対してメインマイコン５や負荷回路６に電力供給を開始／停止させる制御信号を出力する。また、サブマイコン３７は、チャンネルＵＰキー２３やチャンネルＤＯＷＮキー２５や他のキーが操作されると、その操作に応じた信号をメインマイコン５へ出力する。
【００３３】
電源回路４は、サブマイコン３７からの制御信号に応じて、メインマイコン５や負荷回路６に電力供給を開始したり停止したりする。すなわち、電源回路４は、サブマイコン３７から電力供給の開始を指示する制御信号が入力されると、メインマイコン５や負荷回路６に電力供給を開始する。また、電源回路４は、サブマイコン３７から電力供給の停止を指示する制御信号が入力されると、メインマイコン５や負荷回路６に電力供給を停止する。電源回路４は、サブマイコン３７からの制御信号の如何にかかわらず、操作回路２と待機電力抑制回路３の電力供給端子ＡＬＬ３．３Ｖに対して電力を供給している。
【００３４】
メインマイコン５は、電子機器１の各部を制御する。また、メインマイコン５は、操作回路２で受け付けたキー操作に応じた信号がサブマイコン３７から入力されると、負荷回路６の動作を制御する。
【００３５】
負荷回路６は、電子機器１がテレビ受像機の場合、選局されている番組のチャンネルで放送されているテレビ放送信号を受信するチューナ回路や、表示部における画面表示を行う表示回路や、スピーカから音声を出力する音声出力回路等である。また、負荷回路６は、電子機器１が録画装置の場合、選局されているチャンネルで放送されている番組のテレビ放送信号を受信するチューナ回路や、この番組のデータをハードディスクやＤＶＤ等の記録媒体に録画したり、記録媒体に録画されている番組のデータを読み出して再生したりする録画／再生回路等である。
【００３６】
リモコン受信回路７は、リモコン８で受け付けたキー操作に応じて電子機器１の動作を制御するために、リモコン８からの受信信号に応じて、スイッチ５３の開閉を制御したり、サブマイコン３７のＲＣＶ−ＩＮ端子３７Ｄに信号を入力したりする。
【００３７】
次に、待機電力抑制回路３の詳細な動作について、図３に基づいて説明する。図３は、待機時、電源オン時、動作時、及び電源オフ時のタイミングチャートである。
【００３８】
［待機時］
電子機器１が待機状態のときには、操作回路２から入力端子３１に対して、３．３Ｖの電圧が印加される（以下、３．３Ｖ信号が入力されると表記する。）。このとき、スイッチ５３とスイッチ５５は開（ＴＲ７とＴＲ９はＯＦＦ）であり、スイッチ５４は閉（ＴＲ８はＯＮ）であり、スイッチ７３は端子７３Ｂ側（グランド端子側）に接続（ＴＲ１１はＯＦＦ）されている。これにより、サブマイコン３７への電力供給は停止されており、サブマイコン３７のキー電圧入力端子３７Ｃには０Ｖ信号が入力されている。また、電源回路４はメインマイコン５や負荷回路６への電力供給を停止しているので、メインマイコン５や負荷回路６は動作していない。
【００３９】
［電源オン時］
電子機器１は、待機状態のときに、操作回路２の電源キー２１が電源オンの操作を受け付けると、入力端子３１には０Ｖ信号が入力される。このとき、スイッチ制御部３３の保持部５１はスイッチ５３を閉にし、スイッチ５４を開にする。すなわち、保持部５１のコンデンサＣ１は、ＯＮしたトランジスタＴＲ３を介して急激にチャージされるので、電界効果トランジスタＦＥＴ１がすぐにＯＮしてスイッチ５３が閉、スイッチ５４が開になる（ＴＲ７がＯＮ、ＴＲ８がＯＦＦする）。また、キー電圧制御部３５の保持部７１のコンデンサＣ２は、トランジスタＴＲ１０を介して急激にチャージされるので、電界効果トランジスタＦＥＴ２がすぐにＯＮしてスイッチ７３が端子７３Ａ側（電力供給端子ＡＬＬ３．３Ｖ側）に切り替わる（ＴＲ１１がＯＮする）。
【００４０】
上記のようにスイッチ５３が閉になると、サブマイコン３７のＶｃｃ端子３７Ａには、電力供給端子ＡＬＬ３．３Ｖから電力が供給されて、サブマイコン３７はプログラムを読み込んで起動する。また、サブマイコン３７のキー電圧入力端子３７Ｃには、キー電圧制御部３５から３．３Ｖ信号が入力される。
【００４１】
保持部５１は、前記のように時定数が設定されているので、電源キー２１の操作か終了しても３秒間、スイッチ５３（ＴＲ７）とスイッチ５４（ＴＲ８）の状態を保持する。また、保持部７１は、同様に、電源キー２１の操作が終了しても１．５秒間、スイッチ７３（ＴＲ１１）の状態を保持する。
【００４２】
電源キーの操作が完了してから１．５秒の経過後に、保持部７１の状態保持が終了するので、スイッチ７３が端子７３Ｂ側（グランド端子側）に切り替わり（ＴＲ１１がＯＦＦし）、サブマイコン３７のキー電圧入力端子３７Ｃには、０Ｖ信号が入力される。この状態は、保持部５１の保持が終了するまで続く。
【００４３】
サブマイコン３７は、キー電圧入力端子３７Ｃから０Ｖ信号が入力されると、Ｐ−ＯＮ−Ｈ端子３７ＢからＨ信号（オン信号に相当）を出力する。スイッチ制御部３３は、Ｈ信号が入力されると、スイッチ５３とスイッチ５５を閉にする（ＴＲ７とＴＲ９をＯＮする）。
【００４４】
電源キーの操作が完了してから３秒が経過すると、保持部５１の状態保持が終了するので、スイッチ５４は閉になる（ＴＲ８がＯＮする）。また、既にスイッチ５５は閉になっている。そのため、操作回路２からの信号が入力端子３１・スイッチ５４・スイッチ５５を介して、サブマイコン３７のキー電圧入力端子３７Ｃに入力可能になる。
【００４５】
なお、保持部５１の状態保持が終了しても、サブマイコン３７のＰ−ＯＮ−Ｈ端子３７ＢからＨ信号が出力されるので、スイッチ５３は閉の状態が保持される。この状態は、サブマイコン３７のＰ−ＯＮ−Ｈ端子３７ＢからＨ信号（オン信号）の出力が停止されるか、またはリモコン電源オフの操作が行われて、その操作に対応してリモコン受信回路７からスイッチ５３を開にする信号が出力されるまで続く。
【００４６】
サブマイコン３７は、Ｐ−ＯＮ−Ｈ端子３７ＢからＨ信号を出力すると同時に、電源回路４に電力供給を開始する制御信号を出力する。電源回路４は、この制御信号が入力されると、メインマイコン５と負荷回路６へ電力供給を開始する。これにより、電子機器１が動作状態になる。
【００４７】
［動作時］
電子機器１が動作状態のときには、スイッチ５３〜スイッチ５５は閉（ＴＲ７〜ＴＲ９はＯＮ）であり、スイッチ７３は端子７３Ｂ側（グランド端子側）に接続（ＴＲ１１はＯＦＦ）されている。また、キー操作が行われていないと、操作回路２から入力端子３１に対して３．３Ｖ信号が入力されており、キー操作が行われると、前記のようにキーに応じて異なる電圧の信号が操作回路２から入力端子３１を介して、サブマイコン３７のキー電圧入力端子３７Ｃに入力される。サブマイコン３７は、キー電圧入力端子３７Ｃから入力された信号に応じて、メインマイコン５へ制御信号を出力する。メインマイコン５は、サブマイコン３７から入力された制御信号に応じて、負荷回路６を制御する。また、電源回路４はメインマイコン５や負荷回路６へ電力を供給している。
【００４８】
例えば、チャンネルＵＰキー２３が操作された場合には、サブマイコン３７のキー電圧入力端子３７Ｃには１．０Ｖ信号が入力される。このとき、サブマイコン３７は、メインマイコン５に対して、チューナ回路で受信しているチャンネルの選局を予め設定された順（例えば、１ｃｈ→２ｃｈ→４ｃｈ→６ｃｈ→７ｃｈ→８ｃｈ→１０ｃｈ→１ｃｈ）に変更するように指示するチャンネルＵＰ信号を出力する。メインマイコン５は、チャンネルＵＰ信号が入力されると、チューナ回路に対して選局を昇順に変更させる。
【００４９】
［電源オフ時］
電子機器１は、動作状態のときに、操作回路２の電源キー２１が操作されて、電源オフの操作を受け付けると、入力端子３１には０Ｖ信号が入力される。このとき、スイッチ制御部３３の保持部５１は、スイッチ５３を閉にし、スイッチ５４を開にする。すなわち、保持部５１のコンデンサＣ１は、トランジスタＴＲ３を介して急激にチャージされるので、電界効果トランジスタＦＥＴ１がすぐにＯＮしてスイッチ５３が閉（動作時と状態の変化無し。）、スイッチ５４が開になる（ＴＲ７がＯＮ、ＴＲ８がＯＦＦする）。また、保持部７１のコンデンサＣ２は、トランジスタＴＲ１０を介して急激にチャージされるので、電界効果トランジスタＦＥＴ２がすぐにＯＮしてスイッチ７３が電力供給端子ＡＬＬ３．３Ｖ側に切り替わる（ＴＲ１１がＯＮする）。
【００５０】
保持部５１は、前記のように時定数が設定されているので、電源キー２１の操作が終了しても３秒間、スイッチ５３（ＴＲ７）とスイッチ５４（ＴＲ８）の状態を保持する。また、保持部７１は、同様に、電源キー２１の操作が終了しても１．５秒間、スイッチ７３（ＴＲ１１）の状態を保持する。
【００５１】
電源キーの操作が完了してから１．５秒が経過すると、保持部７１の状態保持が終了するので、スイッチ７３がグランド端子側に切り替わり（ＴＲ１１がＯＦＦし）、サブマイコン３７のキー電圧入力端子３７Ｃには、０Ｖ信号が入力される。この状態は、保持部５１の保持が終了するまで続く。
【００５２】
サブマイコン３７は、キー電圧入力端子３７Ｃから０Ｖ信号が入力されると、Ｐ−ＯＮ−Ｈ端子３７Ｂから出力していたＨ信号（オン信号に相当）を停止する。このとき、スイッチ制御部３３には、サブマイコン３７からＬレベルの信号が入力されることになる。そのため、スイッチ制御部３３はスイッチ５５を開にする（ＴＲ９はＯＦＦする）。一方、スイッチ５３は、保持部５１により閉の状態を保持されているので、サブマイコン３７のＰ−ＯＮ−Ｈ端子３７ＢからのＨ信号（オン信号）が停止しても、閉の状態が保持される。
【００５３】
サブマイコン３７は、キー電圧入力端子３７Ｃから０Ｖ信号が入力されると、メインマイコン５に対して電源をオフにする旨を伝える信号を出力する。また、サブマイコン３７は、電源回路４に対して、メインマイコン５や負荷回路６に対する電力供給の停止を指示する制御信号を出力する。
【００５４】
電源回路４は、この制御信号が入力されると、メインマイコン５や負荷回路６への電力供給を停止する。
【００５５】
電源キーの操作が完了してから３秒が経過すると、保持部５１の状態保持が終了するので、スイッチ５３は開になり（ＴＲ７がＯＦＦし）、サブマイコン３７への電力供給が停止する。また、このとき、スイッチ５４は閉になる（ＴＲ８がＯＦＦする）。
【００５６】
以上のように、電子機器１では、スイッチ５３を設けることにより、電源キー２１でオフ操作が行われると、メインマイコン５や負荷回路６だけでなく、サブマイコン３７への電力供給が停止される。したがって、従来の構成と比較して、待機時の消費電力をさらに抑制することができる。
【００５７】
また、待機電力抑制回路３にスイッチ５４とスイッチ５５を設けることにより、サブマイコン３７のキー電圧入力端子３７Ｃに、電源キーの操作に応じた信号だけでなく、他のキーの操作に応じた信号が入力されるように構成した場合でも、電子機器１の誤動作を防止できる。
【００５８】
すなわち、スイッチ５５は、サブマイコン３７に電力が供給されていない待機時において、電源キー以外のキーが操作されても、サブマイコン３７のキー電圧入力端子３７Ｃに信号が入力されたり、信号にノイズが重畳したりしてサブマイコン３７が破損するのを防止できる。さらに、サブマイコン３７が起動して、Ｐ−ＯＮ−Ｈ端子からＨ信号が出力されるまでの間に、操作回路２からの信号がキー電圧入力端子３７Ｃに入力されて、サブマイコン３７が誤動作するのを防止できる。
【００５９】
スイッチ５４は、キー電圧制御部３５からサブマイコン３７のキー電圧入力端子３７Ｃに対して信号が入力されているときに、操作回路２から信号が入力されるのを防止できる。また、スイッチ５４は、メインマイコン５や負荷回路６に電力供給が開始されて正常に動作するようになってから、操作回路２から出力された信号をサブマイコン３７に入力させるので、メインマイコン５や負荷回路６の誤動作を防止できる。さらに、スイッチ５４は、電源オフの操作が電源キーで行われると、すぐに入力端子３１からサブマイコン３７への信号伝送路を遮断する。したがって、電源オフの操作が電源キーで行われた直後に、別のキーが操作されても、サブマイコンやメインマイコン５や負荷回路６が誤動作するのを防止できる。
【００６０】
さらに、キー電圧制御部３５では、スイッチ７３の端子７３Ａをスイッチ５３の後段に接続している。これにより、スイッチ５３が閉状態のときのみ、キー電圧制御部３５を介してキー電圧入力端子３７Ｃに信号を入力できる。また、キー電圧制御部３５は、サブマイコン３７の起動時に、操作回路２のいずれのキーも操作されていないときの信号（３．３Ｖ信号）をキー電圧入力端子３７Ｃに入力することができる。これにより、電源オン時や電源オフ時には、操作回路２からの信号がスイッチ５４とスイッチ５５により入力されないが、操作回路２からの信号と同じ信号が入力されるので、サブマイコン３７を正常に動作させることができる。
【００６１】
なお、サブマイコン３７から電源回路４に出力する、前記の電力供給を開始／停止させる制御信号として、Ｐ−ＯＮ−Ｈ端子３７Ｂから出力されるＨ信号を用いることも可能である。
【符号の説明】
【００６２】
１…電子機器  ２…操作回路  ３…待機電力抑制回路  ４…電源回路  ５…メインマイコン  ６…負荷回路  ７…リモコン受信回路  ８…リモコン  ２１…電源キー  ２３…チャンネルＵＰキー  ２５…チャンネルＤＯＷＮキー  ３１…入力端子  ３３…スイッチ制御部  ３５…キー電圧制御部  ３７…サブマイコン  ５１、７１…保持部  ５３、５４、５５、７３…スイッチ
【図１】
2010267225.tif 000003
【図２】
2010267225.tif 000004
【図３】
2010267225.tif 000005